(57)【特許請求の範囲】
【請求項１】
ホワイトボードの画像から、下記式
【数１】
0005810803.tif 000018
により、各画素の輝度と、彩度と、色強度と、を算出し、前記ホワイトボートの内容を抽出する抽出手段と、
前記抽出手段によって抽出されたホワイトボードの内容の各画素中のＲ、Ｇ、Ｂ値をそれぞれ伸長する伸長手段と、
前記伸長手段によってそれぞれ伸長された各画素中のＲ、Ｇ、Ｂ値の和を変更しないことにより、各画素の色強度を一定として、各画素の色調を調整する色調調整手段と、
前記色調調整手段によって調整された各画素の色調を一定として、各画素の彩度と色強度との比を所望の比ｒｄに調整する色強度調整手段と、
前記色調調整手段によって調整された各画素の色調を一定として、各画素の彩度及び色強度を増加させて、前記彩度及び色強度をそれぞれ所望の彩度ｓｄ及び所望の色強度Ｉｄに近づける増加手段と、
を有する、画像調整装置。
【請求項２】
前記抽出手段は、各画素の輝度が所定の輝度閾値未満であり、該画素の彩度が所定の彩度閾値より大きく、かつ該画素の色強度が所定の色強度閾値より大きいと、該画素が前記ホワイトボードの内容に属すると判断する、請求項１に記載の画像調整装置。
【請求項３】
前記伸長手段は、マッピング関数
【数２】
0005810803.tif 000019
（ここで、ｃは、夫々、Ｒ、Ｇ、Ｂチャネルにより正規化された後の値を表し、
【数３】
0005810803.tif 000020
であり、ｙは、各画素のＲ、Ｇ、Ｂチャネル伸長後の結果を表し、
【数４】
0005810803.tif 000021
であり、ｐ１とｐ２は、異なる経験値であり）
により、各画素のＲ、Ｇ、Ｂ値をそれぞれ伸長する、請求項２に記載の画像調整装置。
【請求項４】
前記色調調整手段は、各画素のＲ、Ｇ、Ｂ値の中間値と最小値とが同一になるように、該３つの値を調整することにより、色調の調整を実現し、
前記色調調整手段による調整は、下記関係
【数５】
0005810803.tif 000022
（ここで、Ｍａｘ、Ｍｉｄ、Ｍｉｎは、それぞれ、Ｒ、Ｇ、Ｂ値の調整前の最大値、中間値、最小値を表し、Ｍａｘ’、Ｍｉｄ’、Ｍｉｎ’は、それぞれ、Ｒ、Ｇ、Ｂ値の調整後の最大値、中間値、最小値を表し、ｄ１は、第１の調整量であり）
を満足し、
Ｒ、Ｇ、Ｂ値の数値範囲０〜２５５に応じて、下記関係
【数６】
0005810803.tif 000023
により得られる第１調整量ｄ１が、
【数７】
0005810803.tif 000024
となる、請求項１に記載の画像調整装置。
【請求項５】
画素の彩度と色強度との比ｒは、「ｒ＝彩度／色強度」により定義され、
前記色強度調整手段は、各画素のＲ、Ｇ、Ｂ値から第２の調整量ｄ２を減算（即ち、（Ｒ’、Ｇ’、Ｂ’）＝（Ｒ−ｄ２、Ｇ−ｄ２、Ｂ−ｄ２）（ここで、（Ｒ、Ｇ、Ｂ）は、原画素のＲ、Ｇ、Ｂ値を表し、（Ｒ’、Ｇ’、Ｂ’）は、調整後画像のＲ、Ｇ、Ｂ値を表し））することで、色調を一定とすることを実現し、
前記色強度調整手段による調整は、下記関係
【数８】
0005810803.tif 000025
（ここで、ＳとＩは、それぞれ、画素調整前の彩度及び色強度を表し、Ｓ’とＩ’は、それぞれ、調整後の値を表し）
を満足し、
前記関係から、第２の調整量ｄ２が、
【数９】
0005810803.tif 000026
となる、請求項４に記載の画像調整装置。
【請求項６】
前記増加手段は、各画素のＲ、Ｇ、Ｂ値から第３の調整量ｄ３を減算（即ち、（Ｒ２、Ｇ２、Ｂ２）＝（Ｒ−ｄ３、Ｇ−ｄ３、Ｂ−ｄ３）（ここで、（Ｒ、Ｇ、Ｂ）は、原画素のＲ、Ｇ、Ｂ値を表し、（Ｒ２、Ｇ２、Ｂ２）は、調整後のＲ、Ｇ、Ｂ値を表す））することで、色調を変更しないことを実現し、
前記増加手段は、下記関係
【数１０】
0005810803.tif 000027
を満足するように、各画素の彩度を増加させ、
前記増加手段は、Ｒ、Ｇ、Ｂ値の数値範囲０〜２５５に応じて、下記関係
【数１１】
0005810803.tif 000028
から、第３の調整量ｄ３を、下式
【数１２】
0005810803.tif 000029
により求める、請求項５に記載の画像調整装置。
【請求項７】
前記増加手段は、全ての色チャネル値に係数Ｋを乗算することにより、各画素の色強度を増加させ、即ち、（Ｒ２’、Ｇ２’、Ｂ２’）＝Ｋ*（Ｒ２、Ｇ２、Ｂ２）＝Ｋ*Ｒ２、Ｋ*Ｇ２、Ｋ*Ｂ２）となり、ここで、（Ｒ２、Ｇ２、Ｂ２）は、彩度増加後の画素のＲ、Ｇ、Ｂ値を表し、（Ｒ２’、Ｇ２’、Ｂ２’）は、色強度増加後の各画素のＲ、Ｇ、Ｂ値を表し、係数Ｋは，Ｋ＝Ｉｄ／Ｉ２により定義され、Ｉ２は、彩度増加後の各画素の色強度を表す、請求項６に記載の画像調整装置。
【請求項８】
ホワイトボードの画像から、下記式
【数１３】
0005810803.tif 000030
により、各画素の輝度と、彩度と、色強度と、を算出し、前記ホワイトボードの内容を抽出する抽出ステップと、
前記抽出ステップによって抽出されたホワイトボードの内容の各画素中のＲ、Ｇ、Ｂ値をそれぞれ伸長する伸長ステップと、
前記伸長ステップによってそれぞれ伸長された各画素中のＲ、Ｇ、Ｂ値の和を変更しないことにより、各画素の色強度を一定として、各画素の色調を調整する色調調整ステップと、
前記色調調整ステップによって調整された各画素の色調を一定として、各画素の彩度と色強度との比を所望の比ｒｄに調整する色強度調整ステップと、
前記色調調整ステップによって調整された各画素の色調を一定として、各画素の彩度及び色強度を増加させて、前記彩度及び色強度をそれぞれ所望の彩度ｓｄ及び所望の色強度Ｉｄに近づかせる増加ステップと、
を含む、画像調整方法。
【発明の詳細な説明】
【技術分野】
【０００１】
本発明は、デジタル画像処理分野に関し、特に、ホワイトボードのカラー画像を調整する方法、装置及びシステムに関する。ホワイトボードのカラー画像の色調調整及び彩度（saturation）増加により、ホワイトボード用カラーペンでホワイトボード上に書かれた内容のカラー画像における色を強調する。
【背景技術】
【０００２】
ホワイトボードの内容共有システムにおいては、出力するホワイトボードのカラー画像の色に影響を及ぼす様々な要素がある。
【０００３】
１つの要素としては、該ホワイトボードの内容共有システムに用いられる撮像ヘッド及びそのホワイトバランスの設定である。他の要素としては、該システム内部に用いられる画像減算のような画像処理アルゴリズム等がある。
【０００４】
これらの要素は、通常、色の歪みや色差等の問題を生じさせている。例えば、出力するホワイトボードのカラー画像の色がぼやけていたり、不鮮明になったり、不純になることがある。
【０００５】
本発明は、従来技術における前述の問題に鑑みてなされているものである。
【０００６】
（１）できる限り色が純粋になるように、ホワイトボードのカラー画像におけるホワイトボードの内容の色補正を行う。
【０００７】
（２）できる限り色が鮮やかになるように、ホワイトボードのカラー画像におけるホワイトボードの内容の色強調を行う。
【発明の概要】
【発明が解決しようとする課題】
【０００８】
本発明の目的は、ホワイトボードのカラー画像を調整する方法及び装置を提供することにあり、該方法及び装置はホワイトボードの内容共有システムに用いられる。
【課題を解決するための手段】
【０００９】
上述の目的を達成するために、本発明の一実施例により、ホワイトボードのカラー画像の画像調整装置が提供される。この画像調整装置は、ホワイトボードの画像からホワイトボードの内容を抽出する抽出手段と、前記ホワイトボードの内容の各画素中のＲ、Ｇ、Ｂ値をそれぞれ伸長する伸長手段と、前記ホワイトボードの内容の各画素の色強度を一定として、各画素の色調を調整する色調調整手段と、前記ホワイトボードの内容の各画素の色調を一定として、各画素の彩度と色強度との比を所望の比ｒｄに調整する色強度調整手段と、前記ホワイトボードの内容の各画素の色調を一定として、各画素の彩度及び色強度を増加させて、前記彩度及び色強度をそれぞれ所望の彩度ｓｄ及び所望の色強度Ｉｄに近づかせる増加手段と、を有する。
【００１０】
また、本発明の他の実施例により、ホワイトボードのカラー画像の画像調整方法が提供される。この画像調整方法は、ａ）ホワイトボードの画像からホワイトボードの内容を抽出し、ｂ）前記ホワイトボードの内容の各画素中のＲ、Ｇ、Ｂ値をそれぞれ伸長し、ｃ）前記ホワイトボードの内容の各画素の色強度を一定として、各画素の色調を調整し、ｄ）前記ホワイトボードの内容の各画素の色調を一定として、各画素の彩度と色強度との比を所望の比ｒｄに調整し、ｅ）前記ホワイトボードの内容の各画素の色調を一定として、各画素の彩度及び色強度を増加させて、前記彩度及び色強度をそれぞれ所望の彩度ｓｄ及び所望の色強度Ｉｄに近づかせるステップを含む。
【発明の効果】
【００１１】
本発明の実施例による、ホワイトボードのカラー画像を調整する方法及び装置は、新たなヒューマンコンピュータインタアクション分野に用いられることができる。本発明の実施例による、ホワイトボードのカラー画像を調整する方法及び装置は、ホワイトボードの内容共有システムに適用し、異なる位置にいるユーザは、該システムにより、ホワイトボードにホワイトボード用カラーペンで書かれた内容を共有し交換することができる。
【図面の簡単な説明】
【００１２】
【図１】本発明の一実施例における、ホワイトボードのカラー画像の画像調整装置のブロック図である。
【図２】本発明の一実施例における、ホワイトボードのカラー画像の画像調整方法のフローチャートである。
【図３】ホワイトボードのカラー画像からホワイトボードの内容を抽出するプロセス例を示す図である。
【図４】色チャネル伸長（color channel stretch）用のマッピング関数を示す関数曲線図である。
【図５】色強度を変えない条件で色の色調を調整する時に３つの色チャネルR、G、Bの変化例を示す図である。
【図６】色の色調を変えない条件で彩度と色強度との比を調整する時に３つの色チャネルR、G、Bの変化例を示す図である。
【図７】色の色調を変えない条件で彩度及び色強度の値を夫々所望値に近くなるように増加する時に３つの色チャネルR、G、Bの変化例を示す図である。
【図８】本発明の一実施例における、各方法のステップ後の色の変化状態を示す図である。
【図９】本発明の一実施例におけるホワイトボードの内容共有システムの概略図である。
【発明を実施するための形態】
【００１３】
以下、図面を参照しながら本発明の実施例を詳細に説明する。
【００１４】
図１は、本発明の一実施例における、ホワイトボードのカラー画像の画像調整装置のブロック図である。
【００１５】
図１に示されたように、本実施例における画像調整装置は、抽出手段１０１と、伸長手段１０２と、色調調整手段１０３と、色強度調整手段１０４と、増加手段１０５と、を有する。
【００１６】
抽出手段１０１は、入力されたホワイトボードのカラー画像から、前景部をホワイトボードの内容として抽出する。該ホワイトボードの内容は、ユーザがホワイトボードにホワイトボード用カラーペンで書いた部分である。入力されたホワイトカラー画像において、ホワイトボードの内容は、画像の前景部と見なされ、ホワイトボード自体は、画像の背景部とみなされる。該画像には、ローカルユーザがホワイトボードに書いた追加内容も含まれてよい。なお、画素の輝度、彩度及び色強度などの属性値を算出することで、前景部を抽出することができる。
【００１７】
伸長手段１０２は、ホワイトボードのカラー画像から抽出したホワイトボードの内容の各画素中のＲ、Ｇ、Ｂチャネル値をそれぞれ伸長する。具体的な伸長プロセスは、図４を参照して後述する。
【００１８】
色調調整手段１０３は、前記抽出したホワイトボードの内容の各画素の色強度値を変更しない条件で、各画素の色調を調整する。具体的な色調調整プロセスは、図５を参照して後述する。
【００１９】
色強度調整手段１０４は、抽出したホワイトボードの内容の各画素の色の色調を変更しない条件で、各画素の彩度と色強度との比を所望の比ｒｄに調整する。具体的な彩度と色強度との比の調整プロセスは、図６を参照して後述する。
【００２０】
増加手段１０５は、前記ホワイトボードの内容の各画素の彩度及び色強度を増加し、各画素の色の色調を変更しない条件で彩度及び色強度をそれぞれ所望の彩度値ｓｄ及び所望の色強度値Ｉｄに近づかせる。具体的な彩度及び色強度増加工程は、図７を参照して後述する。
【００２１】
図２は、本発明の一実施例における、ホワイトボードのカラー画像の画像調整方法のフローチャートである。
【００２２】
図２を参照しながら、本実施例の具体的な処理プロセスについて以下のように説明する。
【００２３】
ステップS201において、ホワイトボードのカラー画像を入力する。前記ホワイトボードの内容共有システムから得られたホワイトボードのカラー画像が入力として、本発明の画像調整装置に入力されると、ステップS202において、抽出手段は、該入力されたホワイトボードのカラー画像から、ホワイトボードの内容を抽出する。本実施例において、ホワイトボードの内容は、ホワイトボードのカラー画像の前景部と見なされ、該前景部の色が強調される。ホワイトボードのカラー画像の前景部は、以降のステップの入力として保留され、背景部は無視され、処理は行われない。
【００２４】
次に、ホワイトボードの内容（即ち、ホワイトボードのカラー画像の前景部）における各画素に対して以下の処理を施す。
【００２５】
ステップS２０３において、伸長手段が、画素の３つの色チャネルR、G、Bの数値をそれぞれ伸長し、色チャネル数値のコントラストを増加する。
【００２６】
ステップS204において、色調調整手段は、色強度を変更しない条件で、画素色の色調を調整し、純粋な色が得られるようにする。
【００２７】
ステップS205において、色強度調整手段は、画素色の色調を変更しない条件で、彩度と色強度との比を所望の比に調整する。
【００２８】
ステップS206において、増加手段は、色がより鮮やかになるように、画素色の色調を変更しない条件で彩度及び色強度を増加する。
【００２９】
ホワイトボードの内容における全画素の処理が完了すると、プロセス全体が完了する。最終的に、色強調された画像（例えば、デジタル画像）が出力される。
【００３０】
図３は、ホワイトボードのカラー画像からホワイトボードの内容を抽出するプロセス例を示す図である。前記ホワイトボードの内容は、ユーザがホワイトボードにホワイトボード用カラーペンで書いた部分の、ホワイトボードのカラー画像上での表示部分である。前記ホワイトカラー画像において、前景部は、ホワイトボードの内容と見なされ、ホワイトボード自体は、画像の背景部とみなされる。なお、画素の輝度、彩度及び色強度などの属性値を算出することで、前景部を抽出することができる。
【００３１】
まず、ホワイトボードの内容の輝度が、通常、ホワイトボード自体よりも小さいため、輝度閾値Tlightnessを定義して、ある画素が前景部に属するか否かを判定する。該画素の輝度が該輝度閾値Tlightness未満であると、該画素は前景部に属すると判定される。ここで、画素の輝度値は、下記式のように、画素の３つの色チャネルR、G、Bの加重平均値から求められる。
【数１】
0005810803.tif 000002
前述の輝度閾値Tlightnessは、従来技術におけるBernsenアルゴリズム、Niblackアルゴリズム等の従来の自己適応閾値アルゴリズムから求められ、ホワイトボードのカラー画像によって、異なる閾値が得られる。
【００３２】
同様に、彩度及び色強度の閾値Tsaturation、Tintensityを定義することができる。前景画素の彩度値は、必ず、所定の彩度閾値Tsaturationより大きいことを満足するとともに、その色強度値も、必ず、所定の色強度閾値Tintensityより大きいことを満足する必要がある。前述のような画素の彩度値と色強度値も、同様に画素の３つの色チャネルR、G、Bから求められる。
【数２】
0005810803.tif 000003
大半の場合に、前述の彩度閾値及び色強度閾値は、夫々、１つの経験数値に設定される。例えば、本実施例において、彩度閾値Tsaturationは、0.03に設定され、色強度閾値Tintensityは、0.1に設定されているが、彩度閾値Tsaturation及び色強度閾値Tintensityは、これらに限らず、実際の場合に応じて、他の適切な値に設定されてよい。
【００３３】
図４は、色チャネル伸長用のマッピング関数を示す関数曲線図である。ここで、色チャネル伸長とは、前述のホワイトボードの内容（ホワイトボードのカラー画像の前景部）における各画素に対し、R、G、Bチャネルを、マッピング関数によりそれぞれ伸長して、色のコントラストを増強することを意味する。
【００３４】
マッピング関数は、下記式より得られる。
【数３】
0005810803.tif 000004
式中、符号Ｃは、色チャネル数値を表し、該マッピング関数の入力となる。ｃは、Ｒ、Ｇ、Ｂ色チャネルから正規化後の範囲「０，１」の値を表す。例えば、Rチャネルを正規化後の結果「R/255」をｃとして式（４）に代入すると、ｙRが得られ、G色チャネルを正規化後の結果をｃとして式（４）に代入すると、ｙGが得られ、B色チャネルを正規化後の結果をｃとして式（４）に代入すると、ｙBが得られる。
【００３５】
符号ｙは、各色チャネルを伸長後の結果を表し、マッピング関数の出力となる。該数値の範囲も［０，１］である。
【００３６】
符号ｐ１及びｐ２は、パラメータとされ、経験値であり、大半の場合に、設定されることができる。例えば、ｐ１は２０に設定され、ｐ２は０．１６７に設定されることができる。ｐ１及びｐ２は、場合によって、異なる経験値に設定されることは、言うまでもない。
【００３７】
図５は、色強度を変えない条件で色の色調を調整する時に３つの色チャネルR、G、Bの変化例を示す図である。ここで、色調調整とは、純粋な色を所望する場合、前記ホワイトボードの内容（ホワイトボードのカラー画像の前景部）における各画素に対し、色強度を変えない条件で、画素のR、G、Bチャネル値を調整し、該３つのチャネル値の中間値と最小値とが等しくなるようにする。
【００３８】
前述の画素のR、G、Bチャネル値の中間値と最小値とが等しくなるようにするとは、３つのチャネル値のうちの最小値を増加し、３つのチャネル値のうちの中間値を低減し、最終的に該２つの値が等しくなるようにすることである。
【００３９】
前述の色強度を変えないとは、調整後にR、G、Bの３つのチャネルの値の和を変えないことをいう。このため、色チャネルの値は、調整後、下記のようになる。
【数４】
0005810803.tif 000005
式中、符号Ｍａｘ、Ｍｉｄ、Ｍｉｎは、それぞれ３つの色チャネルＲ、Ｇ、Ｂの調整前の最大値、中間値、最小値を表し、符号Ｍａｘ’、Ｍｉｄ’、Ｍｉｎ’は、それぞれ３つの色チャネルＲ、Ｇ、Ｂの調整後の最大値、中間値、最小値を表す。ここで、
【数５】
0005810803.tif 000006
の関係が存在する。Ｒ、Ｇ、Ｂチャネルの数値範囲が０〜２５５であることを考慮すると、下記の条件関係が成立する。
【数６】
0005810803.tif 000007
これより、下記の調整量ｄ１の算出式が得られる。
【数７】
0005810803.tif 000008
図６は、色の色調を変えない条件で彩度と色強度との比を調整する時に３つの色チャネルR、G、Bの変化例を示す図である。
【００４０】
ここで、彩度と色強度との比の調整とは、前記ホワイトボードの内容（ホワイトボードのカラー画像の前景部）における各画素に対し、色調を変えない前提で、彩度と色強度との比ｒを、所望の理想値ｒｄに調整することをいう。上述の比ｒは、「ｒ＝彩度値／色強度値」により定義される。上述の比ｒの理想値ｒｄは、具体的な環境に応じて、１つの経験値に設定することができる。例えば、ｒｄを２に設定することができる。
【００４１】
前述の画素の彩度及び色強度の値は、同様に、式（２）及び式（３）により、該画素の色チャネルR、G、Bの加重平均値を算出することにより得られ、［０,１］の数値範囲内の実数に正規化される。
【００４２】
前述の画素の色調を変更しないとは、画素のＲ、Ｇ、Ｂチャネル値から第２の同一の数値ｄ２を減算する必要があることをいう。原画素色のＲＧＢチャネルを、Ｒ、Ｇ、Ｂと表し、調整後の色のＲＧＢチャネルを、Ｒ’、Ｇ’、Ｂ’と表すと、（Ｒ’、Ｇ’、Ｂ’）＝（Ｒ-ｄ２、Ｇ-ｄ２、Ｂ-ｄ２）となる。同時に、彩度と色強度の定義を考慮すると、下記の関係式が成立する。
【数８】
0005810803.tif 000009
該ステップの操作により、彩度を増加し、色強度を低減することができ、最終的に前述の彩度と色強度との比ｒを、所望の理想値ｒｄにすることができる。
【００４３】
式中、符号ＳとＩは、それぞれ、画素調整前の彩度及び色強度を表し、Ｓ’とＩ’は、それぞれ、調整後の値を表す。これにより、以下の等式が得られる。
【数９】
0005810803.tif 000010
さらに、下記の調整量ｄ２の計算式が得られる。
【数１０】
0005810803.tif 000011
色強度値Iの定義式
【数１１】
0005810803.tif 000012
により、該等式を前記式に代入すると、最終的に調整量ｄ２が下記式のように得られる。
【数１２】
0005810803.tif 000013
図７は、色の色調を変えない条件で、彩度及び色強度が夫々所望値に近くなるように、彩度及び色強度の値を増加する時に３つの色チャネルR、G、Bの変化例を示す図である。
【００４４】
彩度及び色強度の増加とは、前述のホワイトボードの内容(ホワイトボードのカラー画像の前景部)における各画素に対し、画素の色調を変えない前提で、彩度及び色強度が夫々所望値に近くなるように、彩度及び色強度の値を増加することをいう。
【００４５】
色調を変えない前提で彩度を増加するとは、図６に示した方法のように、各画素の色チャネルR、G、Bから同じ数値ｄ3を減算することをいう。なお、該ステップの調整量ｄ３の定義は、図６のものと異なっている。
【００４６】
即ち、原画素色のＲＧＢチャネルを（Ｒ、Ｇ、Ｂ）とし、調整後の色のＲＧＢチャネルを（Ｒ２、Ｇ２、Ｂ２）とすると、
【数１３】
0005810803.tif 000014
の関係になる。その同時に、彩度の定義を考慮すると、下記式を導き出すことができる。
【数１４】
0005810803.tif 000015
前述の符号Sdは、近づくべき所望の彩度数値を表す。該数値は、テストによる、大半の場合に適した実験値や経験値であってもよい。例えば、大半の場合に、該Sdは、０．８に設定される。
【００４７】
色の３つのチャネルR、G、Bの数値範囲が０〜２５５であるため、以下の関係式を満足する必要がある。
【数１５】
0005810803.tif 000016
以上を総合的に考慮すると、調整量ｄ３を得る式は、下記のようになる。
【数１６】
0005810803.tif 000017
色調を変えない条件で色強度を増加するとは、彩度を増加した後に、すべての色チャネルに係数Kを乗算する必要があることをいう。
【００４８】
即ち、彩度の増加後の色のＲＧＢチャネルを（Ｒ２、Ｇ２、Ｂ２）とし、色強度の増加後の色のＲＧＢチャネルをＲ２’、Ｇ２’、Ｂ２’とすると、（Ｒ２’、Ｇ２’、Ｂ２’）＝Ｋ*（Ｒ２、Ｇ２、Ｂ２）＝Ｋ*Ｒ２、Ｋ*Ｇ２、Ｋ*Ｂ２）の関係になる。
【００４９】
係数Ｋは、Ｋ＝Ｉｄ／Ｉ２に定義される。
【００５０】
式中、符号Iｄは、近づくべき所望の理想値を表し、Ｉ２は、色（Ｒ２、Ｇ２、Ｂ２）の色強度を表す。ここで、Idは、［０，１］範囲内の経験値に設定され、例えば、大半の場合に、Idは０．４に設定される。また、I2は、色（Ｒ２、Ｇ２、Ｂ２）の３つの色チャネルR、G、Bの加重平均値を算出することで得られ、即ち、式（３）から得られる。
【００５１】
図８は、本発明の一実施例における、各方法のステップ後の色の変化状態を示す図である。
【００５２】
図９は、本発明の一実施例における、ホワイトボードの内容共有システムの概略図である。
【００５３】
図９に示されたホワイトボードの内容共有システムは、画像減算操作、撮像ヘッドから撮像されたホワイトボード画像の伝送及び投射により、異なる場所におけるホワイトボード上の内容の共有を可能にする。ホワイトボードの内容共有システムは、映像取得装置９０１と、演算装置９０２と、データ伝送装置９０３と、投影装置９０４と、を有する。
【００５４】
前記映像取得装置９０１は、例えば、撮像ヘッドであり、ローカルユーザによりホワイトボード用カラーペンでホワイトボードに書かれた内容を取得し、以降のステップの処理のために、デジタル画像として出力する。
【００５５】
演算装置９０２は、図１に示された各装置を有し、映像取得装置９０１から撮像されたホワイトボード画像と、遠隔端末システム９０５から送信されてきた遠隔端末と共有のホワイトボード画像との減算操作により、ローカルのホワイトボード上に書かれた追加部分をホワイトボードの内容として得るとともに、ホワイトボードのカラー画像の色強調を行う。ホワイトボードの内容の色強調操作は、図２に示されたステップと同様であるため、ここでは省略する。
【００５６】
データ伝送装置９０３は、ネットワーク経由で、遠隔端末システム９０５の共有ホワイトボードの内容を受信するとともに、他の遠隔端末システムへ前記演算装置９０２の減算操作から得られたローカルのホワイトボード上に追加されたホワイトボードの内容を送信する。
【００５７】
投影装置９０４は、例えば、プロジェクタであり、ローカルの出力装置として、遠隔端末システムからの共有内容や、ローカルの共有内容を外部媒体（例えば、スクリーン、壁面など）に投射して表示している。
【００５８】
ここまでは、本発明の実施例による方法、装置及びシステムについて図面を参照しながら説明した。フローチャート及び／又はブロック図のステップ及び／又はブロック、及び／又は、フローチャート及び／又はブロック図のステップ及び／又はブロックの組み合わせは、コンピュータプログラムにより実現され得る。このようなコンピュータプログラムを、汎用コンピュータ、専用コンピュータ、或いは他のプログラミング可能なデータ処理装置のプロセッサに提供し、コンピュータや他のプログラミング可能なデータ処理装置のプロセッサが実行することにより、フローチャート及び／又はブロック図のステップ及び／又はブロックに指定された機能／動作を実現する手段を構築するように、マシンが生成される。
【００５９】
また、このようなコンピュータプログラムは、コンピュータ読み取り可能な記憶媒体に保存されてもよい。
【００６０】
さらに、他の実施において、各ブロック図のブロックに示された機能は、図面に示された順番で実行されなくてもよい。例えば、関連する機能に応じて、連続して示された２つのブロックは、実際にほぼ並行に実行されても良く、又は、ブロックに示された機能の逆の順番で実行されても良い。
【００６１】
以上、本発明の好ましい実施形態を説明したが、本発明はこの実施形態に限定されず、本発明の趣旨を離脱しない限り、本発明に対するあらゆる変更は本発明の範囲に属する。
【図１】
0005810803.tif 000031
【図２】
0005810803.tif 000032
【図３】
0005810803.tif 000033
【図４】
0005810803.tif 000034
【図９】
0005810803.tif 000035
【図５】
0005810803.tif 000036
【図６】
0005810803.tif 000037
【図７】
0005810803.tif 000038
【図８】
0005810803.tif 000039